(57)【要約】      （修正有）【課題】取扱い性に優れたスランプゲージを提供する。【解決手段】支持板１０と、該支持板から鉛直上方へ延びた目盛棒２と、該目盛棒に対して上下移動自在に取り付けられた支持棒３とを備えたスランプゲージ１であって、前記支持棒が、前記目盛棒に取り付けられる基端部３ａと、該基端部に取り付けられた先端部３ｂとから構成され、先端部は、水平な状態で基端部に固定可能であり且つ上下方向へ回動可能であるように基端部に取り付けられていることを特徴とするスランプゲージ。【選択図】図１
2011214953.tif 000002
【特許請求の範囲】
【請求項１】
支持板と、該支持板から鉛直上方へ延びた目盛棒と、該目盛棒に対して上下移動自在に取り付けられた支持棒とを備えたスランプゲージであって、
前記支持棒が、前記目盛棒に取り付けられる基端部と、該基端部に取り付けられた先端部とから構成され、
先端部は、水平な状態で基端部に固定可能であり且つ上下方向へ回動可能であるように基端部に取り付けられていることを特徴とするスランプゲージ。
【請求項２】
前記先端部が斜め下方に向けた状態で前記基端部に固定しうるように構成され、前記目盛棒には、先端部が水平状態である支持棒で測定されるスランプに対応した第一目盛と、先端部が斜め下方に向いた状態の支持棒で測定されるスランプに対応した第二目盛とが設けられていることを特徴とする請求項１記載のスランプゲージ。
【発明の詳細な説明】
【技術分野】
【０００１】
本発明は、スランプ試験においてスランプを測定するために用いられるスランプゲージに関する。
【背景技術】
【０００２】
従来、コンクリートのコンシステンシーを評価する代表的な試験方法として、スランプ試験が広く用いられている。通常、このスランプ試験は、ＪＩＳ  Ａ１１０１「コンクリートのスランプ試験方法」に規定された方法に基づいて行われる。
具体的には、水平に設置した平板上にスランプコーンと呼ばれる円錐台形状の試験用容器を置き、その内部にフレッシュコンクリートを入れて突き棒で突いた後、コンクリートの上面をスランプコーンの上端に合わせるようにしてならす。そして、スランプコーンを静かに鉛直方向に引き上げ、コンクリートの上面がどれだけ下がったかを０．５ｃｍ単位で測定するという方法である。
このスランプの値が大きければ、そのコンクリートの流動性が高いと評価されれ、建築分野等では１５ｃｍから１８ｃｍ程度のものが使用されることが多い。
【０００３】
ところで、このようなスランプ試験に使用する測定器具については、スランプコーンや突き棒についてはＪＩＳに規定されているが、他の器具については規定されていない。
そのうち、スランプの高さ（コンクリート上面の落下距離）を測定するための器具（以下、スランプゲージという）については、一般に、図５に示されたようなスランプゲージ１０１が使用されている。該スランプゲージ１０１は、具体的には、支持板１１０と、該支持板１１０より鉛直上方へ延びるように固定された目盛棒１０２と、該目盛棒１０２に対して上下移動自在に取り付けられた水平指示棒１０３と、該水平指示棒１０３を目盛棒１０２に固定するための固定具１０４とを備えたものである。スランプを測定する際には、スランプコーンを引き抜いた後のコンクリートの上面の中心に水平指示棒１０３の下面をあてて固定し、その際の目盛棒１０２の目盛りを読むことによってコンクリートの落下距離、すなわちスランプが測定される。
【０００４】
また、該スランプゲージとして、下記特許文献１には、高流動のコンクリートについてもスランプを測定しうるように、水平指示棒の測定面を支持板の下面近くにまで移動させることが可能であるようなスランプゲージも検討されている。
【先行技術文献】
【特許文献】
【０００５】
【特許文献１】特開平７−２１８５００号公報
【発明の概要】
【発明が解決しようとする課題】
【０００６】
ところで、コンクリートのスランプ試験はコンクリートの打設現場において実施されることが多いため、上記のようなスランプゲージも打設現場へ運ぶ必要がある。しかしながら、従来のスランプゲージは安定性が悪く、運搬中に転倒して器具が破損する虞がある。また、運搬中の転倒を防止するためには、水平指示棒１０３を目盛棒１０２から取り外して運搬することも考えられるが、いずれにしろ取扱い性に劣るものであった。
【０００７】
本発明は、上記のような従来技術の問題点に鑑みてなされたものであり、取扱い性に優れたスランプゲージを提供することを目的とする。
【課題を解決するための手段】
【０００８】
上記のような課題に鑑み、本発明に係るスランプゲージは、支持板と、該支持板から鉛直上方へ延びた目盛棒と、該目盛棒に対して上下移動自在に取り付けられた支持棒とを備えたスランプゲージであって、前記支持棒が、前記目盛棒に取り付けられる基端部と、該基端部に取り付けられた先端部とから構成され、先端部は、水平な状態で基端部に固定可能であり且つ上下方向へ回動可能であるように基端部に取り付けられていることを特徴とする。
【０００９】
斯かる構成のスランプゲージによれば、支持棒が、前記目盛棒に取り付けられる基端部と、該基端部に取り付けられた先端部とから構成され、その先端部が上下方向へ回動可能であるように基端部に枢支されていることにより、運搬等の際には先端部を下方に向けておくことで安定性を高めることができ、転倒等による器具の破損を防止し得る。また、先端部は、水平な状態で基端部に固定可能であるため、スランプを測定する際には水平状態で固定することにより、通常の測定器具と同様に使用することができる。
【００１０】
また、本発明に係るスランプゲージは、好ましくは、前記先端部が斜め下方に向けた状態で前記基端部に固定しうるように構成され、前記目盛棒には、先端部が水平状態である支持棒で測定されるスランプに対応した第一目盛と、先端部が斜め下方に向いた状態の支持棒で測定されるスランプに対応した第二目盛とが設けられていることを特徴とする。
【００１１】
斯かる構成のスランプゲージによれば、前記先端部が斜め下方に向けた状態でもスランプの測定が可能となる。つまり、前記先端部を斜め下方に向けた状態で固定した場合には、該目盛棒を上下動させて支持棒の先端をコンクリートの上面に当接させ、第二目盛を読み取ることによりスランプの測定が可能となる。従って、コンクリートの上面が斜めに傾いた時など、支持棒が水平なままではスランプが測定しにくい場合であっても容易且つ正確にスランプを測定することが可能となる。
【発明の効果】
【００１２】
以上のように、本発明に係るスランプゲージは、極めて取扱い性に優れるという効果を奏するものである。
【図面の簡単な説明】
【００１３】
【図１】本発明の一実施形態のスランプゲージを示した斜視図。
【図２】支持棒の基端部と先端部との接続部分を拡大して示した分解斜視図。
【図３】本実施形態のスランプゲージにおいて、先端部を斜め４５度下方に向けて固定した状態を示した斜視図。
【図４】本実施形態のスランプゲージにおいて、先端部を鉛直下方に向けて固定した状態を示した斜視図。
【図５】従来のスランプゲージ測定器具を示した斜視図。
【発明を実施するための形態】
【００１４】
以下、図面を参照しながら本発明の一実施形態であるスランプゲージについて説明する。図１に示したように、本実施形態のスランプゲージ１は、支持板１０と、該支持板１０から鉛直上方へ延びるように設けられた目盛棒２と、該目盛棒２に対して上下移動自在となるように該目盛棒２に取り付けられた支持棒３とを備えて構成されている。
【００１５】
該支持棒３は、前記目盛棒２を挿通しうる円管部を備えた基端部３ａと、該基端部３ａに取り付けられた先端部３ｂとから構成されている。前記円管部の側面に設けた螺子穴には、固定具である螺旋体４が螺入されており、該螺旋体４を目盛棒２に当接させることによって基端部３ａを前記目盛棒２の任意の高さに固定しうるように構成されている。
【００１６】
また、前記目盛棒２には、通常の目盛２ａに加え、後述する第二の目盛２ｂが刻印されている。
【００１７】
支持棒３の先端部３ｂは、水平な状態で基端部３ａに固定可能であるとともに、上下方向へ回動可能となるように基端部３ａに枢支されている。また、該支持棒３は、先端部３ｂを回動させて水平面から４５度下向きとなった状態、及び水平面より９０度下向きとなった状態においても、基端部３ａに対して固定しうるように構成されている。
【００１８】
図２は、支持棒３の基端部３ａと先端部３ｂとの接続部分を拡大して示した分解斜視図である。図２に示すように、基端部３ａと先端部３ｂには、それぞれ水平方向に貫通穴３１、３１が形成されており、これらの貫通穴３１、３１を貫通して基端部３ａと先端部３ｂとを当接させて締め付ける締結具が備えられている。本実施形態では、該締結具は、貫通穴３１に挿通して螺合される蝶ボルト８ａおよび蝶ナット８ｂ、並びにワッシャ８ｃとから構成されている。
【００１９】
また、図２に示すように、基端部３ａおよび先端部３ｂには、両者を所定の角度に調節するための角度調節部が備えられている。本実施形態では、角度調節部として、基端部３ａには、前記貫通穴３１の鉛直下方位置に、鉛直下方に向いて延びる長状突起６が形成され、一方、先端部３ｂには、前記貫通穴３１に対して鉛直下方位置、斜め４５度下方位置および水平位置に、それぞれ貫通穴３１より放射状に延びる長穴７ａ、７ｂおよび７ｃが形成されている。
【００２０】
つまり、基端部３ａの長状突起６と、先端部３ｂの長穴７ａとを嵌め合わせた状態で蝶ボルト８ａおよび蝶ナット８ｂを締め付けて固定すれば、図１に示す如く支持棒３を水平方向に向けて固定した通常の使用状態とすることができる。
【００２１】
また、一旦、蝶ボルト８ａと蝶ナット８ｂを緩め、基端部３ａの長状突起部６を先端部３ｂの長状長穴７ｂに嵌め合わせた状態とし、再度、蝶ボルト８ａおよび蝶ナット８ｂを締め付けて固定すれば、図３に示す如く支持棒３の先端部３ｂを斜め４５度下方に向けて固定した状態とすることができる。
【００２２】
このような、先端部３ｂを斜め４５度下方に向けて固定した際には、目盛棒２に刻印された第二の目盛２ｂを読み取ることにより、スランプ値を読み取ることが可能となっている。つまり、第二の目盛２ｂは、先端部３ｂが斜め４５度下方に向けた際のその先端部分の下降量を加味して付された目盛である。よって、先端部３ｂを斜め４５度下方に向けた状態でも、測定者は直ちにスランプ値を読み取ることができる。
【００２３】
また、同様にして、蝶ボルト８ａと蝶ナット８ｂを緩め、基端部３ａの長状突起部６を先端部３ｂの長状長穴７ｃに嵌め合わせた状態として、再度、蝶ボルト８ａおよび蝶ナット８ｂを締め付けて固定すれば、図４に示す如く支持棒３の先端部３ｂを鉛直下方に向けて固定した状態とすることができる。
図４は、支持棒３を水平方向に１８０度回転させ、支持板１０の上部に位置させた状態を示したものであるが、このような状態とすることで、該スランプゲージの安定性が増すとともに収納スペースも小さくなるため、運搬の際に転倒しにくくなり取り扱い性も大幅に向上する。
【００２４】
なお、本発明に係るスランプゲージは、上記実施形態に限定されるものでなく、本発明の要旨を逸脱しない範囲内において種々の変更を加えることができる。
例えば、上記実施形態では、先端部の固定角度を、水平、斜め４５度下方および鉛直下方の３つの状態に固定しうるように構成したが、少なくとも水平状態に固定できれば通常のスランプ測定に用いることができ、上下方向に回動させることで運搬および収納が容易となる。或いは、本実施形態の如き斜め４５度下方および鉛直下方の固定状態に加えて又はこれに代えて、１又は２以上の固定状態をとりうるように構成することもできる。
【００２５】
また、上記実施形態では、先端部の角度を固定するべく、長状の突起および長穴を組み合わせた角度調節部を設けたが、これに代えて任意の角度調節機構を採用することができる。さらに、上記実施形態では、基端部に対して先端部の角度を固定するための締結具として蝶ボルトおよび蝶ナットを用いたが、これに代えて任意の締結手段を採用することができる。
【符号の説明】
【００２６】
１                  スランプゲージ
２                  目盛棒
２ａ                通常目盛
２ｂ                第２目盛
６                  長状突起（角度調節部）
７ａ、７ｂ、７ｃ    長穴（角度調節部）
８ａ                蝶ボルト
８ｂ                蝶ナット
８ｃ                ワッシャ
３                  支持棒
３ａ                基端部
３ｂ                先端部
４                  螺旋体
１０                支持板
３１                貫通穴
１０１              従来のスランプゲージ
【図１】
2011214953.tif 000003
【図２】
2011214953.tif 000004
【図３】
2011214953.tif 000005
【図４】
2011214953.tif 000006
【図５】
2011214953.tif 000007